(57)【要約】【課題】ドラムをフレームの内部から容易に取り出すことが可能であり、さらには、フレームの内部においてホースがドラムに絡まった場合であっても、ドラムをフレームから取り出すことなく、ホースの絡みを解消することを可能にするホースリールを提供する。【解決手段】ホースを巻き取るドラム１１０と、ドラム１１０を回転可能に支持するフレーム１２０と、からなるホースリール１００において、ドラムはフレームの相互に対向する二つの面の間においてフレームに対して取り外し自在に取り付けられており、フレームは底が開口しており、底はフレームから取り外したドラムを出し入れ可能な大きさを有している。【選択図】図９
0003149466.tif 000002
【実用新案登録請求の範囲】
【請求項１】
ホースを巻き取るドラムと、前記ドラムを回転可能に支持するフレームと、からなるホースリールにおいて、
前記ドラムは前記フレームの相互に対向する二つの面の間において前記フレームに対して取り外し自在に取り付けられており、
前記フレームは底が開口しており、前記底は前記フレームから取り外した前記ドラムを出し入れ可能な大きさを有していることを特徴とするホースリール。
【請求項２】
ホースを巻き取るドラムと、前記ドラムを回転可能に支持するフレームと、からなるホースリールにおいて、
前記フレームは底が開口しており、前記底は前記ドラムを出し入れ可能な大きさを有していることを特徴とするホースリール。
【請求項３】
前記ドラムは、ホースが巻かれる円筒形状のボビンと、前記ボビンの両端に取り付けられた円盤状のフランジと、からなり、
前記フレームの前記二つの面と直交する面には前記ホースを前記フレームから外部に取り出すためのホース取り出し口が形成されており、
前記ホース取り出し口の水平方向における長さは前記ボビンの水平方向における長さ以上であることを特徴とする請求項１または２に記載のホースリール。
【考案の詳細な説明】
【技術分野】
【０００１】
本考案はホースリールに関する。
【背景技術】
【０００２】
ホースリールは、一般的に、ホースを巻き取るドラムを備えており、このドラムがフレームに覆われておらず常に露出しているオープンタイプのものと、ドラムがフレームの内部に収納されているクローズドタイプのものとに分類される。
【０００３】
クローズドタイプのホースリールにおいては、ドラムはフレームの内部において回転可能に支持されており、ホースの使用時にはホースはフレームの外部に引き出され、また、ホースの非使用時にはホースはドラムに巻き付けられた状態でフレームの内部に収納される。
【０００４】
このようなクローズドタイプのホースリールはこれまでに種々のものが提案されている。例えば、特許第３９０８１５５号（特開２００４−１６８５２６号公報）及び実用新案登録第３１４４０３１号公報にそのようなクローズドタイプのホースリールの一例が開示されている。
【先行技術文献】
【特許文献】
【０００５】
【特許文献１】特開２００４−１６８５２６号公報
【特許文献２】実用新案登録第３１４４０３１号公報
【考案の概要】
【考案が解決しようとする課題】
【０００６】
これらの公報に開示されているホースリールにおいては、フレームが数個のブロックに分割可能な筐体からなっており、フレームの内部にドラムを取り付けてフレームを組み立てると、ドラムを取り出すことが不可能になってしまうものであった。
【０００７】
このため、ドラムのメインテナンスを行う必要がある場合には、フレームを分解して初めてドラムを取り出すことが可能であった。
【０００８】
このように、従来のホースリールは、ドラムをフレームの内部から取り出すことが極めて困難であり、ドラムのメインテナンスに支障を来していた。
【０００９】
さらには、フレームの内部においてホースがドラムに絡みついて取れなくなったような場合にも、ドラムをフレームから取り出すことが困難であるため、ホースの絡みを短時間のうちに解消することは不可能であった。
【００１０】
本考案は以上のような従来のホースリールにおける問題点に鑑みてなされたものであり、ドラムをフレームの内部から容易に取り出すことが可能であり、さらには、フレームの内部においてホースがドラムに絡まった場合であっても、ドラムをフレームから取り出すことなく、ホースの絡みを解消することを可能にするホースリールを提供することを目的とする。
【課題を解決するための手段】
【００１１】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【００１２】
上記の目的を達成するため、本考案は、ホースを巻き取るドラム（１１０）と、前記ドラム（１１０）を回転可能に支持するフレーム（１２０）と、からなるホースリールにおいて、前記ドラム（１１０）は前記フレーム（１２０）の相互に対向する二つの面（１２１ａ、１２１ｂ）の間において前記フレーム（１２０）に対して取り外し自在に取り付けられており、前記フレーム（１２０）は底が開口しており、前記底は前記フレーム（１２０）から取り外した前記ドラム（１１０）を出し入れ可能な大きさを有していることを特徴とするホースリール（１００）を提供する。
【００１３】
さらに、本考案は、ホースを巻き取るドラム（１１０）と、前記ドラム（１１０）を回転可能に支持するフレーム（１２０）と、からなるホースリールにおいて、前記フレーム（１２０）は底が開口しており、前記底は前記ドラム（１１０）を出し入れ可能な大きさを有していることを特徴とするホースリール（１００）を提供する。
【００１４】
前記ドラム（１１０）は、ホースが巻かれる円筒形状のボビン（１１１）と、前記ボビン（１１１）の両端に取り付けられた円盤状のフランジ（１１２）と、からなり、前記フレーム（１２０）の前記二つの面（１２１ａ、１２１ｂ）と直交する面（１２１ｃ）には前記ホースを前記フレーム（１２０）から外部に取り出すためのホース取り出し口（１２８）が形成されており、前記ホース取り出し口（１２８）の水平方向における長さは前記ボビン（１１１）の水平方向における長さ以上であることが好ましい。
【考案の効果】
【００１５】
本考案に係るホースリールによれば、ドラムをフレームの底から取り出すことが可能である。すなわち、フレームを分解することなく、ドラムをフレームの内部から容易に取り出すことが可能であるため、ドラムの修理その他のメインテナンスを短時間のうちに行うことが可能である。
【００１６】
さらに、ホースがボビンに絡まったような場合であっても、ホース取り出し口から手を入れてホースの絡みをほどくことが可能であり、フレームの内部からドラムを取り出すことは不要である。すなわち、フレームからドラムを取り出すことなく、フレームの内部のホースの絡みを解消することができる。
【００１７】
また、ドラムをフレームの内部においてフレームに対して固定的に取り付ける場合には、例えば、フレームの開口している底から手を入れてドラムのメインテナンスを行うことが可能である。
【図面の簡単な説明】
【００１８】
【図１】図１は本考案の第一の実施形態に係るホースリールの正面図である。
【図２】図２は本考案の第一の実施形態に係るホースリールの側面図である。
【図３】図３は図２のＡ−Ａ線における断面図である。
【図４】図４は図１のＢ−Ｂ線における断面図である。
【図５】図５は図１のＣ−Ｃ線における断面図である。
【図６】図６は正面の方向から見た本考案の第一の実施形態に係るホースリールの分解斜視図である。
【図７】図７は背面の方向から見た考案の第一の実施形態に係るホースリールの分解斜視図である。
【図８】図８は側面の方向から見た考案の第一の実施形態に係るホースリールの分解斜視図である。
【図９】図９は下方から見た考案の第一の実施形態に係るホースリールの分解斜視図である。
【考案を実施するための形態】
【００１９】
（第一の実施形態）
図１は本考案の第一の実施形態に係るホースリール１００の正面図、図２は本考案の第一の実施形態に係るホースリール１００の側面図、図３は図２のＡ−Ａ線における断面図、図４は図１のＢ−Ｂ線における断面図、図５は図１のＣ−Ｃ線における断面図である。
【００２０】
さらに、図６は正面の方向から見た本考案の第一の実施形態に係るホースリール１００の分解斜視図、図７は背面の方向から見た考案の第一の実施形態に係るホースリール１００の分解斜視図、図８は側面の方向から見た考案の第一の実施形態に係るホースリール１００の分解斜視図、図９は下方から見た考案の第一の実施形態に係るホースリール１００の分解斜視図である。
【００２１】
図６、図７、図８または図９に示すように、本実施形態に係るホースリール１００は、ホース（図示せず）を巻き取るドラム１１０と、内部においてドラム１１０を回転可能に支持するフレーム１２０とを備えている。
【００２２】
図６、図７、図８または図９に示すように、ドラム１１０は、ホースが巻かれるボビン１１１と、ボビン１１１の両端に取り付けられフランジ１１２とから構成されている。
【００２３】
本実施形態に係るホースリール１００においては、ボビン１１１は二つの円弧状の部材が対向して配置されて形成されている。なお、ボビン１１１はこのような形状に限定されるものではなく、単純に、円筒形状とすることもできる。
【００２４】
フランジ１１２はボビン１１１と同心に取り付けられており、円盤状をなしている。フランジ１１２は、ホースがボビン１１１の軸線方向の外側にはみ出ない範囲内においてボビン１１１の回りに巻かれるようにする。
【００２５】
フレーム１２０は、全体として、立方体に近い形状をなしており、図９に示すように、フレーム１２０の底は開口している。
【００２６】
フレーム１２０の相互に対向する二つの面１２１ａ（図６参照）、１２１ｂ（図７参照）にはそれぞれ開口部が形成されている。具体的には、面１２１ａには円形の開口部１２２ａが形成されており、面１２１ｂには円形の開口部１２２ｂが形成されている。
【００２７】
図６または図８に示すように、面１２１ａの開口部１２２ａにはリング状の第一支持部材１２３を嵌め込むことができるようになっている。
【００２８】
第一支持部材１２３にはその中心に円形の開口部１２３ａが形成されており、この開口部１２３ａにはハンドル１２４の軸部１２４ａを挿入することができるようになっている。
【００２９】
図５に示すように、ハンドル１２４の軸部１２４ａの先端には三角形状のフック１２４ｂが形成されている。
【００３０】
ドラム１１０の一方のフランジ１１２には、ボビン１１１の軸心と同心に外側に延びるリング状の突出部１１３が形成されている。この突出部１１３はフレーム１２０の内側から第一支持部材１２３の開口部１２３ａに嵌め込むことが可能であるように形成されている。
【００３１】
さらに、突出部１１３が形成されているフランジ１１２には、ボビン１１１の軸心と同心に内側に延びるリング状の第二突出部１１４が形成されている（図５参照）。
【００３２】
第一支持部材１２３をフレーム１２０の面１２１ａの開口部１２２ａに嵌め込み、次いで、ドラム１１０の突出部１１３をフレーム１２０の内側から第一支持部材１２３の開口部１２３ａに嵌め込み、さらに、ハンドル１２４の軸部１２４ａをフレーム１２０の外側から第一支持部材１２３の開口部１２３ａに嵌め込む。この際、図５に示すように、ハンドル１２４の軸部１２４ａの先端のフック１２４ｂを第二突出部１１４の先端に引っ掛けることにより、ドラム１１０の一端がフレーム１２０に対して回転可能に支持される。
【００３３】
図７に示すように、フレーム１２０の面１２１ｂに形成されている開口部１２２ｂには、カップ状の第二支持部材１２５を嵌め込むことが可能である。
【００３４】
第二支持部材１２５の底面の中央には開口部１２５ａが形成されている。この開口部１２５ａにはホース取り付け部材１２６（図７または図８参照）を嵌め込むことが可能であるようになっている。
【００３５】
さらに、ホース取り付け部材１２６の先端にはホース取り付け具１２７が取り付けられるようになっている。ホース取り付け部材１２６及びホース取り付け具１２７はいずれも中空であり、内部を水が通過できるように構成されている。ホース取り付け部材１２６の一端にホース（図示せず）を取り付け、さらに、ホース取り付け具１２７の先端に別のホースが取り付けられる。
【００３６】
ドラム１１０の他方のフランジ１１２にはその中央に開口部１１２ａが形成されており、開口部１１２ａの周囲にはリング状の突出部１１５が形成されている。突出部１１５は第二支持部材１２５の底面の開口部１２５ａに嵌め込むことが可能である。
【００３７】
第二支持部材１２５をフレーム１２０の面１２１ｂに形成されている開口部１２２ｂにはめ込み、次いで、フレーム１２０の内側からドラム１１０の突出部１１５を第二支持部材１２５の底面の開口部１２５ａに嵌め込む。次いで、ホース取り付け部材１２６を第二支持部材１２５の底面の開口部１２５ａに嵌め込むとともに、フレーム１２０の内側からホース取り付け具１２７をホース取り付け部材１２６の先端に嵌め込む。
【００３８】
図４または図５に示すように、ホース取り付け具１２７はボビン１１１の内部に位置することになる。
【００３９】
必要がある場合には、第二支持部材１２５をフレーム１２０の面１２１ｂに対して、例えば、ネジで固定する。
【００４０】
以上のように、ドラム１１０はフレーム１２０の相互に対向する二つの面１２１ａ、１２１ｂの間においてフレーム１２０に対して回転可能であるように取り付けられる。
【００４１】
さらに、ハンドル１２４のフック１２４ｂを第二突出部１１４から外すとともに、第二支持部材１２５、ホース取り付け部材１２６及びホース取り付け具１２７を取り外すことにより、ドラム１１０をフレーム１２０から取り外すことが可能である。
【００４２】
前述のように、フレーム１２０の底は開口しており、さらに、フレーム１２０の底はフレーム１２０から取り外したドラム１１０を出し入れすることが可能な大きさに設定されている。
【００４３】
このため、本実施形態に係るホースリール１００においては、フレーム１２０の開口している底を介してドラム１１０をフレーム１２０の内部から容易に取り出すことが可能である。
【００４４】
さらに、ホースがドラム１１０のボビン１１１に絡まったような場合であっても、フレーム１２０の底から手を入れて容易にホースの絡みをほぐすことが可能である。
【００４５】
また、本実施形態に係るホースリール１００においては、図６または図８に示すように、フレーム１２０の面１２１ａ、１２１ｂに直交する面１２１ｃにホース取り出し口１２８としての開口部が形成されている。ホース取り出し口１２８は面１２１ｃのほぼ上半分の大きさを有している。
【００４６】
ホース取り出し口１２８の直下にはホースガイド１３０が面１２１ｃに対して回動自在に取り付けられている。ホースガイド１３０は面１２１ｃと平行な面内において回動する。
【００４７】
ホースガイド１３０には開口部１３１が形成されている。
【００４８】
フレーム取り付け具１２７に取り付けられたホースはボビン１１１の周囲に巻かれ、ホースの先端がホース取り出し口１２８を介して、さらに、ホースガイド１３０の開口部１３１を介してフレーム１２０の外側に取り出される。
【００４９】
ホース取り出し口１２８の水平方向における長さはボビン１１１の水平方向における長さ以上に設定されている。
【００５０】
このため、ホースがボビン１１１に絡まったような場合には、ホース取り出し口１２８から手を入れてホースの絡みをほどくことが可能である。
【００５１】
以上のように、本実施形態に係るホースリール１００によれば、ドラム１１０をフレーム１２０の内部から容易に取り出すことが可能であるため、ドラム１１０の修理その他のメインテナンスを短時間のうちに行うことが可能である。
【００５２】
さらに、ホースがボビン１１１に絡まったような場合であっても、ホース取り出し口１２８から手を入れてホースの絡みをほどくことが可能であり、フレーム１２０の内部からドラム１１１を取り出すことは不要である。すなわち、フレーム１２０からドラム１１１を取り出すことなく、フレーム１２０の内部のホースの絡みを解消することができる。
【００５３】
本実施形態に係るホースリール１００は上記の構造に限定されるものではなく、種々の改変が可能である。
【００５４】
例えば、フレーム１２０の形状は立方体形状に限定されるものではなく、ドラム１１１を内部に収納することが可能であるような形状であれば、いかなる形状をも選択することが可能である。
【００５５】
さらに、ドラム１１１をフレーム１２０に対して取り外し可能に取り付けるための構造は本実施形態に示した構造（第一支持部材１２３、ハンドル１２４、第二支持部材１２５、ホース取り付け部材１２６、ホース取り付け具１２７）には限定されない。ドラム１１１をフレーム１２０に対して取り外し可能に取り付けることができるものである限りにおいて、任意の構造を採用することができる。
【００５６】
また、本実施形態に係るホースリール１００においては、ホース取り出し口１２８はフレームの面１２１ｃのほぼ上半分を占める大きさを有しているが、ホース取り出し口１２８の位置及び大きさはこれには限定されない。
【００５７】
例えば、ホース取り出し口１２８を矩形状に形成する場合、ホース取り出し口１２８の高さ方向における下縁または上縁をボビン１１１の軸線と同じ高さに設定し、さらに、ホース取り出し口１２８の高さ方向における長さはボビン１１１の直径の１／２以上に設定することが好ましい。
【００５８】
このようにホース取り出し口１２８の位置及び大きさを設定することにより、ホース取り出し口１２８から手を入れることにより、ボビン１１１の全周に直接的に手で触れることができるので（ホース取り出し口１２８の高さ方向における長さがボビン１１１の直径の１／２であっても、ボビン１１１を回転させることにより、ボビン１１１の全周をホース取り出し口１２８を介してカバーすることができる）、ボビン１１１の調整、修理、ホースの絡みなどに対処することが可能である。
【００５９】
また、上述の実施形態においては、ドラム１１０はフレーム１２０に対して取り外し自在に取り付けられているが、ドラム１１０をフレーム１２０の内部においてフレーム１２０に対して固定的に取り付けることも可能である。この場合には、例えば、フレーム１２０の開口している底から手を入れてドラム１１０のメインテナンスを行うことが可能である。
【符号の説明】
【００６０】
１００  本考案の第一の実施形態に係るホースリール
１１０  ドラム
１１１  ボビン
１１２  フランジ
１１３  突出部
１１４  第二突出部
１１５  突出部
１２０  フレーム
１２１ａ、１２１ｂ、１２１ｃ  フレームの面
１２２ａ、１２２ｂ  開口部
１２３  第一支持部材
１２３ａ  開口部
１２４  ハンドル
１２４ａ  軸部
１２４ｂ  フック
１２５  第二支持部材
１２５ａ  開口部
１２６  ホース取り付け部材
１２７  ホース取り付け具
１２８  ホース取り出し口
１３０  ホースガイド
１３１  開口部
【図１】
0003149466.tif 000003
【図２】
0003149466.tif 000004
【図３】
0003149466.tif 000005
【図４】
0003149466.tif 000006
【図５】
0003149466.tif 000007
【図６】
0003149466.tif 000008
【図７】
0003149466.tif 000009
【図８】
0003149466.tif 000010
【図９】
0003149466.tif 000011